【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、前記導体が巻回されるアンテナ本体部の軸方向に直交する方向の断面積よりも広く形成し、
前記電波捕捉部を、前記アンテナ本体部の軸線方向の端部と接するように配置したことを特徴とするアンテナ。
【請求項２】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、軸線に直交する方向の前記アンテナ本体部の断面積よりも広く形成し、
前記電波捕捉部を、前記アンテナ本体部から離間させて配置したことを特徴とするアンテナ。
【請求項３】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、軸線に直交する方向の前記アンテナ本体部の断面積よりも広く形成し、
前記電波捕捉部を、電子基板上にパターン形成するとともに、
前記アンテナ本体部の軸線方向の端部を、前記電波捕捉部と接するように前記電子基板に配置したことを特徴とするアンテナ。
【請求項４】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、軸線に直交する方向の前記アンテナ本体部の断面積よりも広く形成し、
前記電波捕捉部を、電子基板上にパターン形成するとともに、
前記アンテナ本体部を、前記電波捕捉部から離間させて前記電子基板に配置したことを特徴とするアンテナ。
【請求項５】
請求項１〜４のいずれか一項に記載のアンテナをケース体内に備えたことを特徴とするアンテナを備えた腕時計。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項５に記載の発明は、腕時計において、請求項１〜４のいずれか一項に記載のアンテナ（例えば、図１〜図１３のアンテナ３０、３０ａ〜３０ｆ、４０、４０ａ）をケース体（例えば、図２、図１１の時計ケース２）内に備えたことを特徴とする。
【手続補正５】
【補正対象書類名】明細書
【補正対象項目名】００１７
【補正方法】変更
【補正の内容】
【００１７】
請求項５に記載の発明によれば、請求項１〜４のいずれか一項に記載のアンテナを内蔵することにより、従来よりも電波の受信感度がより高く、且つ電波を受信可能な方向がより増えて指向性が緩和された腕時計を提供することができる。
【手続補正６】
【補正対象書類名】明細書
【補正対象項目名】００２８
【補正方法】変更
【補正の内容】
【００２８】
本実施の形態のアンテナ３０によれば、アンテナ本体部３３と電波捕捉部３２とを独立に形成しているので、アンテナ本体部３３、電波捕捉部３２ともに簡単な形状とすることができるため、電波捕捉部３２の電波捕捉領域の面積を大きくしても磁性体全体の製造が容易となる。また、強度においても、局所的に負荷がかかる場所がなくなるので、アンテナ３０の機械的強度を向上させることができる。よって、従来よりも電波捕捉部３２の電波捕捉領域の面積を軸線に直交する方向のアンテナ本体部３３の断面積よりも更に広く形成することができることとなって、電波の受信感度を向上させることができるとともに、受信可能な方向が増えるので、指向性をより緩和させることができる。
【手続補正７】
【補正対象書類名】明細書
【補正対象項目名】００３９
【補正方法】変更
【補正の内容】
【００３９】
（変形例６）
図９に示すように、変形例６のアンテナ３０ｆは、フィルム基板Ｆに銅箔等で二箇所にパターン形成された電波捕捉部３２ｆと、この電波捕捉部３２ｆ間に設けられたフィルム状コイル素子からなるアンテナ本体部３３ｆとを備えている。アンテナ本体部３３ｆは、例えば、ポリエチレンテレフタラート（ＰＥＴ）やポリ塩化ビニール（ＰＶＣ）等の合成樹脂から作られた２枚のベースフィルム５０ａ、５０ｂが接着剤５１により相互に接着され、さらにこのベースフィルム５０ａ、５０ｂの間に薄膜誘電体５２が埋設されている。また、各ベースフィルム５０ａ、５０ｂの表面上に薄膜誘電体５２を挾んで対向する位置に、銅箔等の薄膜導体５３ａ、５３ｂがそれぞれ接着剤５１により接着されている。更に、この２枚の薄膜導体５３ａ、５３ｂは接続導体としてのスルーホール５４により接続されている。スルーホール５４で接続された薄膜導体５３ａ、５３ｂは、薄膜誘電体５２の周囲を螺旋状に巻く形状となり、薄膜誘電体５２を芯材とする疑似コイルを形成する。
【手続補正８】
【補正対象書類名】明細書
【補正対象項目名】００４４
【補正方法】変更
【補正の内容】
【００４４】
（変形例１）
変形例１のアンテナ４０ａは、上記第２の実施の形態における円弧状の電波捕捉部４２を回路基板１３上にパターン形成し、アンテナ本体部４３を、回路基板１３に対して取り外し可能に取り付けたものである。
図１３に示すように、電波捕捉部４２ａは、回路基板１３上に銅箔等で二箇所にパターン形成され、回路基板１３の電波捕捉部４２ａ間には、アンテナ本体部４３ａを取り付けるための取付孔Ｈが形成されている。この取付孔Ｈにアンテナ本体部４３ａが嵌め込まれることにより、アンテナ４０ａが構成される。
【手続補正９】
【補正対象書類名】明細書
【補正対象項目名】００４５
【補正方法】変更
【補正の内容】
【００４５】
このような構成とすることにより、アンテナ４０ａの厚さは、アンテナ本体部４３ａが有する厚さよりも回路基板１３の厚さ分だけ薄くなる。よって、アンテナ４０ａの薄型化を図ることができ、腕時計２００をより薄型化することができる。
【手続補正１０】
【補正対象書類名】明細書
【補正対象項目名】００５１
【補正方法】削除
【補正の内容】
【手続補正１１】
【補正対象書類名】明細書
【補正対象項目名】００５２
【補正方法】変更
【補正の内容】
【００５２】
請求項５に記載の発明によれば、請求項１〜４に記載のアンテナを内蔵することにより、従来よりも電波の受信感度がより高く、且つ電波を受信可能な方向がより増えて指向性が緩和された腕時計を提供することができる。
【手続補正１２】
【補正対象書類名】図面
【補正対象項目名】図９
【補正方法】変更
【補正の内容】
【図９】
2004235701.tif 000001